(57)【特許請求の範囲】
【請求項１】
建物の開口部の４辺に沿って取り付けられる枠状体であるとともに、該枠状体の室外側端部が前記建物の外壁の室外側面と面一又は室外に延在して配置される見切り枠と、
前記見切り枠の内側に配置され、該見切り枠に沿って具備される枠状体であり、その全部が前記見切り枠の室外側端部及び前記建物の外壁の室外側面よりも室内側に配置されて、室外側面が前記建物の外壁の前記室外側面に対して没して設けられる障子枠と、
前記障子枠の内側に配置され、閉鎖の姿勢で室外側面が前記建物の外壁の前記室外側面に対して没して設けられる障子と、を備え、
前記見切り枠が前記建物の開口部の縁に配置された躯体である柱及び横材に固定されて前記建物の開口部に取り付けられることを特徴とするセットバック開口部装置。
【発明の詳細な説明】
【技術分野】
【０００１】
本発明は、建物の開口部に備えられるセットバック開口部装置に関し、詳しくは外壁材の種類を選ばずに施工することが容易であるとともに、採光部を大きく確保することもできるセットバック開口部装置に関する。
【背景技術】
【０００２】
近年、建物に対する需要者の要求は多様化しており、より快適で機能性の高い建物であることに加えて、外観にも優れた建物が必要とされている。かかる事情により建物の随所に適用される該建物の各構成要素の各々にも快適で機能性の高いことに加え、優れた外観を演出することができるものが採用される傾向にある。
【０００３】
このように建物の外観を演出することのできる該建物の構成要素のうちの１つに開口部装置がある。開口部装置は室内外を通じる建物の開口部に配置されるので、建物の外観の一部を構成する。従って機能のみでなく、建物に良い印象を与えることができるものが求められている。
【０００４】
このような開口部装置のうち、セットバック開口部装置という開口部装置がある。これは、開口部装置に備えられる障子が、通常の開口部装置に比べて、室内側に配置されているものである。すなわち障子が室内側にセットバックされている開口部装置である。このセットバック開口部装置によれば、障子が建物の外壁に対して室内側に大きく凹部を有して配置されるので、外壁との陰影が大きく現れるととともに壁が厚い印象を与えることができる。これにより例えば建物に高級感のある印象を与えることができる。
【０００５】
図１２は、従来におけるセットバック開口部装置２１０が備えられる建物の横断面のうち、該セットバック開口部装置２１０の一方の端部で、建物の開口部と取り付けられる部分に注目して示した図である。図１２では、紙面左が室外側、紙面右が室内側である。
【０００６】
図１２からわかるように従来のセットバック開口部装置２１０は、建物開口部の４辺に沿って備えられる枠体２２２と、該枠体２２２の内側に配置される障子２３０とを具備する。さらに障子２３０は、ガラスパネル２３１と、該ガラスパネル２３１の４辺に沿って配置される框２３３とを備え、該框２３３が枠体２２２に保持されて取り付けられている。また、枠体２２２は、該枠体２２２の一部で建物開口部の左右方向（紙面左右方向）に平行に該開口部外方向（紙面左方向）に延設された片２２２ｂが付け柱２５８の室外側面に沿って配置されて固定部材で取り付けられることにより建物に固定される。
【０００７】
一方、建物については、外壁２５０と内壁２５２との間に柱２５１や上述の付け柱２５８が設けられる。また、外壁２５０は建物に沿って設置される外壁２５０ｃと、開口部の縁において該外壁２５０ｃの端部から室内側に延在する縁壁２５０ｄとを有している。
【０００８】
また、特許文献１には、上記枠体に加えてさらに該枠体の外側に枠状体を具備して開口部に配置するセットバック開口部装置が開示されている。これは、該枠状体を用いて従来に比べて止水性及び外観に優れたセットバック開口部装置を提供するというものである。
【特許文献１】特開２００５−３２０７３９号公報
【発明の開示】
【発明が解決しようとする課題】
【０００９】
しかし、図１２に示した従来のセットバック開口部装置２１０では、該開口部装置２１０をセットバックすることにより必要となった縁壁２５０ｄを具備するので、特殊な外壁施工が必要となり、使用することのできる外壁の種類に制限があった。特に現在、外壁材として多く使用されるサイディングを当該縁壁２５０ｄに使用することが困難であった。また、セットバック開口部装置の下部には、大型の水切りが必要であったり、止水のためのシール構造、防水紙等が特殊なものとなり施工が複雑となるのでその改善が必要とされていた。
【００１０】
また、セットバックされていない通常の開口部装置であれば図１２にＢで示した柱２５１の室外側面に枠体２２２の片２２２ｂを取り付けることにより枠体２２２を建物に設置することができる。ところが、セットバック開口部装置２１０では、セットバックされているため、付け柱２５８を設けて、該付け柱２５８に枠体２２２の片２２２ｂを取り付ける必要がある。これにより開口部が狭くなり、採光面積も小さくなる傾向にあった。
【００１１】
特許文献１に記載のセットバック開口部装置に関しても、図１２の縁壁２５０ｄに相当する部位が設けられており、上述のように容易に使用できる外壁材の種類に制限があった。また、付け柱、及び縁壁により、開口部の狭小化及び採光面積の観点から改善の要望があった。
【００１２】
そこで本発明はかかる観点から、汎用性及び外観に優れるとともに、経済性、施工性にも優れたセットバック開口部装置を提供することを課題とする。
【課題を解決するための手段】
【００１３】
以下、本発明について説明する。なお、本発明の理解を容易にするために添付図面の参照符号を括弧書きにて付記するが、それにより本発明が図示の形態に限定されるものではない。
【００１４】
請求項１に記載の発明は、建物（１）の開口部の４辺に沿って取り付けられる枠状体であるとともに、該枠状体の室外側端部が建物の外壁の室外側面と面一又は室外に延在して配置される見切り枠（１１）と、見切り枠の内側に配置され、該見切り枠に沿って具備される枠状体であり、その全部が見切り枠の室外側端部及び建物の外壁の室外側面よりも室内側に配置されて、室外側面が建物の外壁の室外側面に対して没して設けられる障子枠（２０）と、障子枠の内側に配置され、閉鎖の姿勢で室外側面が建物の外壁の室外側面に対して没して設けられる障子（３０）とを備え、見切り枠が建物の開口部の縁に配置された躯体である柱（５１）及び横材（５４）に固定されて建物の開口部に取り付けられることを特徴とするセットバック開口部装置（１０）を提供することにより前記課題を解決する。
【発明の効果】
【００１５】
本発明のセットバック開口部装置によれば、見切り枠が設けられ、該見切り枠の室外側端部が建物外壁と面一又は建物外壁から突出して延在するので、外壁の上記縁壁を必要としない。従ってこれまで縁壁を形成することが困難であった外壁材でも適用することができ、汎用性の高いセットバック開口部装置とすることができる。また、縁壁を形成することができる外壁材であっても、縁壁を形成する必要がないので、施工性及びコストの観点からも優れたセットバック開口部装置とすることができる。
【００１６】
また、本発明のセットバック開口部装置では、開口部への取り付けの際、見切り枠が建物の柱や横材に固定されるため、セットバックされた障子の枠体は柱等に固定する必要がない。従って付け柱を要せず、該付け柱により開口部が狭くなることを防止することができ、採光面積を大きくとることができる。加えて、付け柱を必要としないので、その材料や施工の必要もなくコスト及び施工性も向上する。この際、障子の枠体に関しても、図１２の片２２２ｂに示したような開口部に平行な方向に柱に向けて長く延在した片を要しないので、障子が配置される部分を大きく採ることができ、これによっても採光面積を大きくすることが可能となる。
【００１７】
本発明のこのような作用及び利得は、次に説明する発明を実施するための最良の形態から明らかにされる。
【発明を実施するための最良の形態】
【００１８】
以下本発明を図面に示す実施形態に基づき説明する。
【００１９】
図１は第一実施形態にかかる本発明のセットバック開口部装置１０を具備する建物１の外観を示す正面図である。建物１は１階及び２階からなり、各階に開口部を有している。１階の開口部には玄関２や窓３が、２階の開口部にも窓４が備えられている。そして２階の開口部には本発明のセットバック開口部装置１０が配置されている。セットバック開口部装置１０は、本実施形態のような住宅に限定されず、あらゆる建物に適用することができる。
【００２０】
図２は、セットバック開口部装置１０が建物１に設置された状態における該セットバック開口部装置１０の部分を拡大して示した室外側からの斜視図である。図２ではセットバック開口部装置１０の周囲は全て建物１の外壁である。図２からわかるように、セットバック開口部装置１０には、該セットバック開口部装置１０に備えられるガラスパネル３１を有する障子３０が具備される。そして該障子３０は、図２に矢印Ａで示した大きさだけ室内側に配置されている。通常の開口部装置では、このＡに相当する部分がほとんど設けられていない。従って本発明のセットバック開口部装置１０は、Ａの大きさの障子３０セットバックにより外壁面に凹部が形成される。これにより、陰影が演出されたり、壁が厚く見える印象を与えたりし、意匠性にも優れたセットバック開口部装置１０とすることができる。
【００２１】
次にセットバック開口部装置１０の構成について説明する。図３は、セットバック開口部装置１０が建物１の開口部に取り付けられた場面における該セットバック開口部装置１０の横断面図である。取り付けの状態がわかるように建物１の開口部の端部も合わせて断面で示している。図３では、紙面左が室外側、紙面右が室内側である。図４は、セットバック開口部装置１０が建物１の開口部に取り付けられた場面における該セットバック開口部装置１０の縦断面図である。図４についても取り付けの状態がわかるように建物１の開口部の端部も合わせて断面で示している。図４では、紙面左が室外側、紙面右が室内側である。図３及び図４は上述のように断面図であるが、見易さのため一部の線を省略して示している。以下図３、図４及び適宜示す図を参照しつつセットバック開口部装置１０の構成を説明する。
【００２２】
セットバック開口部装置１０は、建物開口部の４辺に沿って取り付けられる長尺型材である、見切り縦材１２、１３（図３参照）、見切り横材１４、１５（図４参照）により形成される枠状体の見切り枠１１と、該見切り枠１１の内側に配置され、見切り枠１１に沿って取り付けられる長尺型材である障子縦材２１、２２（図３参照）、障子横材２３、２４（図４参照）により形成される枠状体の障子枠２０とを備えている。さらに、障子枠２０の内側には障子３０が配置される。障子３０は、図２にも示したようなガラスパネル３１と、該ガラスパネル３１の４辺に沿って取り付けられる長尺型材である縦框３２、３３（図３参照）及び横框３４、３５（図４参照）とを有している。
【００２３】
ここで見切り枠１１、障子枠２０、縦框３２、３３、及び横框３４、３５の材質は特に限定されるものではないが、アルミニウムが好ましく適用される。また、障子３０の形式も特に限定されるものではなく、あらゆる種類の障子を適用することが可能である。これには例えば引戸、片開き窓及びスイング式窓等を挙げることができる。
【００２４】
また、縦框３２の室内側には、把手３６が設けられ、利用者が障子３０を開閉するための便宜が図られている。加えて、障子３０より室内側には網戸ユニット４０も配置されている。これはいわゆる網戸であり、障子３０の開放時における害虫の室内への侵入を防止するためのものである。その他、セットバック開口部装置１０の建物１への取り付けに際して必要とされる連結部材や固定部材、シール材やパッキンが適所に備えられる。これらセットバック開口部装置１０の見切り枠１１、障子枠１２並びにその他の端部構造の詳細、及びセットバック開口部装置１０の開口部への取り付けについては後で詳しく説明する。
【００２５】
ここで、建物１側の構成についてもその主要部分について説明する。建物１の開口部には、外壁５０と内壁５２との間に、開口部に沿って縦方向には柱５１、５１（図３参照）、横方向には横材５４、５４（図４参照）が備えられる。また、開口部の厚みを形成する面でセットバック開口部装置１０が配置されない部分には窓壁５３、５３、５３、５３が設けられている。また、その他にも適宜横材や断熱材が備えられる。
【００２６】
図３及び図４からわかるように、本発明のセットバック開口部装置１０を適用することにより、外壁５０に上記縁壁を必要としない。従って、あらゆる種類の外壁材を適用することができ、高い汎用性を得ることができる。また、これまでのセットバック開口部装置に利用可能であった外壁材であっても、縁壁を要しないことにより従来よりも施工性を向上させることができる。さらに、本発明のセットバック開口部装置１０では、付け柱を必要としない。従って付け柱の大きさだけ開口部が小さくなることがなく、大きな開口部を確保することができ、これにより採光面積を大きくとることが可能なセットバック開口部装置１０を提供することができる。
【００２７】
さらに詳しくセットバック開口部装置１０について説明する。図５は、図３の見切り縦材１３の周辺を拡大して示した図である。図６は、図４の見切り横材１４の周辺を、図７は見切り横材１５の周辺をそれぞれ拡大して示した図である。各図において、見易さのため見切り枠１１及び障子枠２０は実線で示し、他の構成要素については破線で示した。図５〜図７ではさらに見易さのために例えば網戸ユニット４０等の一部部材を省略して示している。
【００２８】
図５からわかるように本発明のセットバック開口部装置１０の見切り縦材１３はその断面において、開口部の厚みを構成する１つの端面に沿って室内外方向に配置される片１３ａを有している。片１３ａの室外側端部は外壁５０よりも室外側に突出して配置されるとともに、該片１３ａの室内側端部は窓壁５３の室外側端部に近接する位置まで延在する。また、見切り縦材１３はその断面において、片１３ａから開口部左右方向（紙面左右方向）に平行に３つの片１３ｂ、１３ｃ、１３ｄを有する。片１３ｂは、開口部内方向（紙面右方向）に延在する。片１３ｃは開口部外方向（紙面左方向）に延在する片である。また、片１３ｄは片１３ａの室内側端部から開口部内方向に延在する片である。
【００２９】
さらに、障子縦材２２はその断面において、見切り縦材１３の片１３ａに対して所定の間隔を有して平行に配置される片２２ａを有している。片２２ａの室外側端部は見切り縦材１３の片１３ｂと略同じ位置であるとともに、片２２ａの室内側端部は窓壁５３の室外側端部に接する位置まで延在する。また、障子縦材２２はその断面において、片２２ａから延在する片２２ｂ、２２ｃ、２２ｄ、２２ｅ、２２ｆ、２２ｇを備えている。片２２ｂは、片２２ａの室外側端部から開口部左右方向に平行に延在する部位を有する片である。片２２ｃは、片２２ｂより室内側に配置され、開口部左右方向に平行に該開口部内方向に延在する片である。該片２２ｃは開口部内側先端部に室外側に開いた溝部を有している。片２２ｄは、片２２ｃより室内側に該片２２ｃに平行に所定の間隔を有して配置される片である。片２２ｄは片２２ｃより若干長く、その先端部には室外側に開いた溝を有している。片２２ｅ及び片２２ｆについては、該片２２ｅ及び片２２ｆを側壁とした片２２ａの室内側端部に形成される開口部内側に開いた溝を構成する。片２２ｇは、片２２ａの室内側端部に開口部左右方向に平行に該開口部外方向に延在する片である。
【００３０】
また、セットバック開口部装置１０は、図５に示したように連結部材２６を有している。連結部材２６は断面においてクランク形状を有するとともに、図５における紙面奥手前方向を長手方向とする長尺部材である。
【００３１】
以上のような見切り縦材１３、障子縦材２２及び連結部材２６に障子３０が取り付けられてセットバック開口部装置１０とされている。そして該セットバック開口部装置１０が建物１の開口部に配置される。具体的には次のように配置されて構成される。
【００３２】
見切り縦材１３に関しては、上述したように片１３ａが開口部の厚みを構成する端面に接して配置される。このとき片１３ｃの室内側端面と柱５１の室外側端面とが合わせられ固定部材６０で固定される。また、外壁５０の端部がシール材５０ａを介して片１３ａに当接されて配置される。また、シール材５０ａの室内側にはパッキン５０ｂも配置される。このような見切り縦材１３の配置により、外壁５０が該見切り縦材１３に直線的に当接されるので、上述した縁壁を要しない。これにより縁壁を形成することが困難であった外壁材も使用することができ、汎用性の高いセットバック開口部装置１０を提供することができる。また、縁壁を形成することができる外壁材であっても、縁壁を要しないことにより、容易に施工することができ、施工性を向上させることができる。さらには、片１３ａと外壁５０との間に設けられるシール材５０ａ、パッキン５０ｂによる止水方法は、これまでに使用されてきた信頼性の高い方法に基づくものなので止水性にも優れたセットバック開口部装置１０を提供することができる。
【００３３】
ここで、片１３ａの室外側端部は、本実施形態においては外壁５０よりも室外に延在しているが、これが外壁５０と面一であっても良い。
【００３４】
また、本発明のセットバック開口部装置１０では、従来において開口部装置をセットバックした際に必要であった付け柱を要しない。これは、見切り縦材１３に片１３ｃを設けることにより該片１３ｃを柱５１の室外側面に配置することができるようになったからである。これにより、開口部を有効に利用することができ、採光面積を大きくとることができるセットバック開口部装置１０を提供することが可能となる。
【００３５】
障子縦材２２は、片２２ｂの室外側面が片１３ｂの室内側面にシール材７０を介して接して配置される。ここでシール材７０は、大きな接触面を有して片２２ｂ及び片１３ｂに接しているので高い信頼性で止水することが可能となる。片２２ｆ、２２ｇの室内側面は窓壁５３の室外側面に接して配置される。見切り縦材１３と障子縦材２２とは、片１３ｄと片２２ｇとを固定部材６２で固定することにより連結される。また、片２２ｃ、２２ｄは、障子３０の縦框３３とその先端に具備された緩衝部材を介して接している。
【００３６】
連結部材２６は、そのクランク状断面における一方の辺が、障子縦材２２の片２２ｅ及び片２２ｆで形成される溝の内側に配置されるとともに固定部材６１で固定される。他方の辺は固定部材６３により窓壁５３に固定される。
【００３７】
以上のような各部材の配置により上記利得を有するセットバック開口部装置１０を提供することができる。図５では図３に示した横断面のうち紙面左側についてのみ説明したが、紙面右側については、該左側に対して対称関係にあるのみで、その説明は上記のものが該当する。
【００３８】
次に図６を参照しつつ図４における見切り横材１４の周辺について詳しく説明する。図６からわかるように本発明のセットバック開口部装置１０の見切り横材１４はその断面において、室内外方向に長い矩形環状で開口部の厚さを形成する端面のうちの上端面に沿って室内外方向に配置される片１４ａを有している。片１４ａの室外側端部は外壁５０よりも室外側に突出して配置されるとともに、該片１４ａの室内側端部は横材５４の室外側面と略面一な位置まで延在する。また、見切り横材１４はその断面において、片１４ａの外周から延在する３つの片１４ｂ、１４ｃ、１４ｄを備えている。片１４ｂは、片１４ａの開口部内側（紙面下側）の端部から該開口部内方向（紙面下方向）に延在する片である。片１４ｃは片１４ａの室内側端部から開口部外方向（紙面上方向）に延在する片である。片１４ｄは片１４ａの室内側端部から室内方向に延在する片である。
【００３９】
障子横材２３はその断面において、略矩形環状である片２３ａを有している。片２３ａは、該片２３ａの室外側面から室外方向に延在するとともにその室外側先端が開口部内方向に折れ曲がるような部位を有する片２３ｂを備えている。また、片２３ａは、該片２３ａの室内側端部から開口部内方向に延在する片２３ｅを具備する。片２３ｅの開口部内側端部には、室外側に開いた溝が設けられている。さらに、障子横材２３は、片２３ｅの室内側面から室内方向に延在した片２３ｃ及び該片２３ｃの室内側端部から開口部外方向に延在する片２３ｄを備えている。片２３ｃの室内側端部には開口部内側に開いた溝が形成されている。
【００４０】
また、セットバック開口部装置１０は、図６に示したように連結部材２７を備えている。連結部材２７は断面において室内側方向に平行な板状片であり、図６における紙面奥手前方向を長手方向とする長尺部材である。
【００４１】
以上のような見切り横材１４、障子横材２３及び連結部材２７に障子３０が取り付けられてセットバック開口部装置１０とされている。そして該セットバック開口部装置１０が建物１の開口部に配置される。具体的には次のように配置されて構成される。
【００４２】
見切り横材１４は、上述したように片１４ａが開口部の厚みを形成する端面に接して配置される。このとき片１４ｃの室内側端面と横材５４の室外側端面とが合わせられ、固定部材６０で固定される。また、外壁５０の端部がシール材５０ａを介して片１４ａに当接されて配置される。また、シール材５０ａの室内側にはパッキン５０ｂも配置される。このような見切り縦材１３の配置により、外壁５０が該見切り横材１４に直線的に当接されるので、上述した縁壁を要しない。これにより縁壁を形成することが困難であった外壁材も使用することができ、汎用性の高いセットバック開口部装置１０を提供することができる。また、縁壁を形成することができる外壁材であっても、縁壁を要しないことにより、容易に施工することができ、施工性を向上させることができる。さらには、片１４ａと外壁５０との間に設けられるシール材５０ａ、パッキン５０ｂによる止水方法は、これまでに使用されてきた信頼性の高い方法に基づくものなので止水性にも優れたセットバック開口部装置１０を提供することができる。
【００４３】
ここで、片１４ａの室外側端部は、本実施形態においては外壁５０よりも室外に延在しているが、これが外壁５０と面一であっても良い。
【００４４】
また、本発明のセットバック開口部装置１０では、従来において開口部装置をセットバックした際に必要であった付け柱を要しない。これは、見切り横材１４に片１４ｃを設けることにより該片１４ｃを横材５４の室外側面に配置することができるようになったからである。これにより、開口部を有効に利用することができ、採光面積を大きくとることができるセットバック開口部装置１０を提供することが可能となる。
【００４５】
障子横材２３は、片２３ｂの折り曲げられた端部における室外側面が片１４ｂの室内側面にシール材７０を介して接して配置される。ここでシール材７０は、大きな接触面を有して片２３ｂ及び片１４ｂと接しているので高い信頼性で止水することが可能となる。また、片２３ａの横材５４側の面と、片１４ｄとが接して配置され、該片２３ａ及び片１４ｄを貫く固定部材６４により、該２つの片２３ａ、１４ｄが連結される。さらに片２３ｄは窓壁５３の室外側端面に接して配置される。片２３ａ、２３ｅと、障子３０の横框３４とは片２３ａ、２３ｅの先端に具備された緩衝部材を介して接している。
【００４６】
連結部材２７は、その室外側端部に設けられた凸である部分を片２３ｃに設けられた上記溝にはめ込まれて固定されるとともに、室外側の端部を固定部材６３で窓壁５３に固定されて取り付けられる。
【００４７】
以上のような各部材の配置により上記利得を有するセットバック開口部装置１０を提供することができる。さらに図７を参照しつつ、図４における見切り横材１５の周辺について詳しく説明する。図７からわかるように本発明のセットバック開口部装置１０の見切り横材１５はその断面において、室内外方向に長い矩形環状で開口部の厚みを形成する端面の室内外方向に配置される片１５ａを有している。片１５ａの室外側端部は外壁５０よりも室外側に突出して配置されるとともに、該片１４ａの室内側端部は横材５４の室外側面と略面一な位置まで延在する。片１５ａの上面は室外側ほど低くなる傾斜が設けられている。これによって該傾斜に沿って水を排出することができる。また、見切り横材１５はその断面において、さらに３つの片１５ｂ、１５ｃ、１５ｄ、１５ｅを備えている。片１５ｂは、片１５ａの開口部内側の端部から室内側に向けて延在する片である。片１５ｃは片１５ａの室内側端部から開口部外方向（紙面下方向）に延在する片である。片１５ｄは片１５ｂの室内側端部から開口部外方向に延在する片である。さらに、片１５ｅは片１５ａの上面から開口部内方向（紙面上方向）に延在する片で、その先端は室外方向へ折れ曲がるように形成されている。
【００４８】
障子横材２４はその断面において、全体として略Ｌ字型である環状の片２４ａを有している。該Ｌ字型である片２４ａは垂直である部分が室内側に配置され、その下部から水平である部分が室外方向に延在するようなＬ字型である。片２４ａは、該片２４ａの室外側面から室外方向に延在するとともにその室外側先端が開口部外方向に折れ曲がるような部位を有する片２４ｂを備えている。また、片２４ａは、該片２４ａの室内側端部から開口部内方向に延在し、さらにその端部から室内方向に折れ曲がるように延在する片２４ｃを具備する。片２４ｃには、開口部内方向に延在した部分の該開口部内方向端部に室外側に開いた溝と、室内方向に延在した部分の室内側端部に設けられた、開口部内方向に開いた溝とが設けられている。さらに、障子横材２４は、片２４ｃの室内側端部から開口部外方向に延在する片２４ｄを備えている。
【００４９】
また、セットバック開口部装置１０は、図７に示したように連結部材２８が備えられている。連結部材２８は断面において室内外方向に平行な板状片であり、図７における紙面奥手前方向を長手方向とする長尺部材である。
【００５０】
以上のような見切り横材１５、障子横材２４及び連結部材２８に障子３０が取り付けられてセットバック開口部装置１０とされている。そして該セットバック開口部装置１０が建物１の開口部に配置される。具体的には次のように配置されて構成される。
【００５１】
見切り横材１５は、上述したように片１５ａが開口部の厚みを形成する端面に接して配置される。このとき片１５ｃの室内側端面と横材５４の室外側端面とが合わせられ、固定部材６０で固定される。また、外壁５０の端部がシール材５０ａを介して片１５ａに当接されて配置される。加えて、シール材５０ａの室内側にはパッキン５０ｂも配置される。このような見切り横材１５の配置により、外壁５０が該見切り横材１５に直線的に当接されるので、上述した縁壁を要しない。これにより縁壁を形成することが困難であった外壁材も使用することができ、汎用性の高いセットバック開口部装置１０を提供することができる。また、縁壁を形成することができる外壁材であっても、縁壁を要しないことにより、容易に施工することができ、施工性を向上させることができる。さらには、片１５ａと外壁５０との間に設けられるシール材５０ａ、パッキン５０ｂによる止水方法は、これまでに使用されてきた信頼性の高い方法に基づくものなので止水性にも優れたセットバック開口部装置１０を提供することができる。
【００５２】
ここで、片１５ａの室外側端部は、本実施形態においては外壁５０よりも室外に延在しているが、これが外壁５０と面一であっても良い。
【００５３】
また、従来において開口部装置をセットバックした際に必要であった付け柱を要しない。これは、見切り横材１５に片１５ｃを設けることにより該片１５ｃを横材５４の室外側面に配置することができるようになったからである。これにより、開口部を有効に利用することができ、採光面積を大きくとることができるセットバック開口部装置１０を提供することが可能となる。
【００５４】
障子横材２４は、片２４ｂの折り曲げられた端部から室内方向に設けられた小片と、片１５ｅとの係合関係により、見切り縦材１５と係合される。また、片２４ａの横材５４側の面と、片１５ｂとが接して配置され、該片２４ａ及び片１５ｂを貫く固定部材６４により、該２つの片２４ａ、１５ｂが固定される。片２４ｄは窓壁５３の室外側端面に接して配置される。片２４ｃは、具備された２つの溝のうちの室外側に配置された溝に備えられた緩衝部材を介して障子３０の横框３５と接している。
【００５５】
連結部材２８は、その室外側端部に設けられた凸である部分を片２４ｃの室内側に設けられた溝にはめ込まれて固定されるとともに、室内側の端部を固定部材６３で窓壁５３に固定されて取り付けられる。
【００５６】
ここで、図４、図６及び図７に現れた横材５５、５６は、セットバック開口部装置１０を開口部に固定するために用いられている上述した付け柱ではなく、必ずしも必要ではない。これは施工対象により適宜使用されるスペーサであり、その使用、不使用は必要に応じて選択されるものである。
【００５７】
以上のような構成のセットバック開口部装置１０により、外壁材の種類を選ばない、汎用性を向上させることができ、これまでの外壁材であっても施工性を向上させることができる。さらに、直接柱、横材に取り付け可能であり、付け柱を必要としないので付け柱取り付けに伴う材料や工程を要せず、この点においても施工性を向上させることができる。また、付け柱の設置により開口部が狭小化することなく、採光面積を大きくとることも可能となる。
【００５８】
本発明に適用される障子枠２０は、従来の開口部装置の枠体と比較してほぼ同じ断面形状のものを利用することができる。具体的には図１２に示した片２２２ｂを除き、従来の枠を利用することが可能である。ここで、従来の枠から片２２２ｂを除去することは比較的容易である。従って、従来の枠をわずかな加工で転用することができ、かかる意味においても汎用性、コストの観点から優れたセットバック開口部装置を提供することができる。また、一度製造された枠に対する加工を回避するために専用枠を製造することにより行われても良い。
【００５９】
図８にセットバック開口部装置１０の変形例を示した。変形例のセットバック開口部装置１０は、見切り横材１４の片１４ａの室外側からさらに室外に片１４ｅが延在して配置されたものである。この片１４ｅによりいわゆる開口部装置における「ひさし」が形成される。従来のサッシにおいてその上部にひさしを施工する場合、取付けは強固であることを要するので、壁面における下地がある部位や躯体部分に取付けなければならない。従ってひさしの取り付けの際に下地材を探す必要があったり、下地材がない場合は、ひさしの取付ができない等の問題があった。また、ひさしを取付ける場合には該ひさしのための止水が必要であった。しかし、本発明のセットバック開口部装置によれば、見切り横材１４から延在させることによりひさしを形成することができ簡易的に低コストでひさしを設けることができる。加えて改めて止水を考慮することもない。さらには、セットバック開口部装置の特徴の１つである壁の陰影の演出効果も、該ひさしによりさらに大きくなる。
【００６０】
片１４ｅは必ずしも片１４ａと一体である必要はなく別体であっても良い。別体であるときは、片１４ａに片１４ｅを固定部材等により固定する。このようにすれば、片１４ｅを後から取付けることもでき、すでに施工したセットバック開口部装置にたいしても付加することが可能なので、利便性を向上させることができる。また、この際も取付は簡易的であり、施工時間やコストの削減をすることも可能である。
【００６１】
次に第二実施形態に係る本発明のセットバック開口部装置１１０について説明する。セットバック開口部装置１１０は、第一実施形態に係る本発明のセットバック開口部装置１０に対して、見切り枠１１１、障子枠１２０等の形状が異なるものである。従って、セットバック開口部装置１１０についてはセットバック開口部装置１０の説明に使用した図５〜図７に対応する図である図９〜図１１を参照しつつ説明する。他の部分については概ね同じ構成であるので説明を省略する。
【００６２】
図９は、セットバック開口部装置１１０に関する図５に対応する図である。従って、図９では紙面上が室外側、紙面下が室内側を示している。図９からわかるようにセットバック開口部装置１１０の見切り縦材１１３はその断面において、開口部の厚みを形成する端面に沿って室内外方向に配置される片１１３ａを有している。片１１３ａの室外側端部は外壁１５０よりも室外側に突出して配置されるとともに、該片１１３ａの室内側端部は窓壁１５３の室外側端部に略面一となる位置まで延在する。また、見切り材１１３はその断面において、片１１３ａの側面から開口部左右方向に平行である３つの片１１３ｂ、１１３ｃ、１１３ｄを備えている。片１１３ｂは、開口部内方向（紙面右方向）に延在している。片１１３ｃは開口部外方向に延在している片である。また、片１１３ｄは片１１３ａの室内側端部から開口部内方向に延在する片である。
【００６３】
さらに、障子縦材１２２はその断面において、見切り縦材１１３の片１１３ａに対して所定の間隔を有して平行に配置される片１２２ａを有している。片１２２ａの室外側端部は見切り縦材１１３の片１１３ｂと略同じ室内外方向位置であるとともに、開口部内方向に開いた溝を有している。また、片１２２ａの室内側端部は窓壁１５３の室外側端部に接する位置まで延在する。さらに障子縦材１２２はその断面において、片１２２ａの室内側端部から開口部内方向に延在する片１２２ｂ及び該片１２２ｂの開口部内側端部から室外方向に延在する片１２２ｃを備えている。片１２２ｃの室外側端部には室外側に開いた溝を有している。
【００６４】
また、セットバック開口部装置１１０は、図９に示したように止水部材１８０を有している。止水部材１８０は断面において開口部外方向に開いたコの字形状を備えている。
【００６５】
以上のような見切り縦材１１３、障子縦材１２２及び止水部材１８０に障子１３０が取り付けられてセットバック開口部装置１１０とされている。そして該セットバック開口部装置１１０が建物の開口部に配置される。具体的には次のように配置されて構成される。
【００６６】
見切り縦材１１３は、上述したように片１１３ａが開口部の厚みを形成する端面に接して配置される。このとき片１１３ｃの室内側面と柱１５１の室外側端面とが合わせられ、固定部材１６０で固定される。また、外壁１５０の端部がシール材１５０ａを介して片１１３ａに当接されて配置される。また、シール材１５０ａの室内側にはパッキン１５０ｂも配置される。このような見切り縦材１１３の配置により、外壁１５０が該見切り縦材１１３に直線的に当接されるので上述した縁壁を要しない。これにより縁壁を形成することが困難であった外壁材も使用することができ、汎用性の高いセットバック開口部装置１１０を提供することができる。また、縁壁を形成することができる外壁材であっても、縁壁を要しないことにより、容易に施工することができ、施工性を向上させることができる。さらには、片１１３ａと外壁１５０との間に設けられるシール材１５０ａ、パッキン１５０ｂによる止水方法は、これまでに使用されてきた信頼性の高い方法に基づくものなので止水性にも優れたセットバック開口部装置１１０を提供することができる。
【００６７】
ここで、片１１３ａの室外側端部は、本実施形態においては外壁１５０よりも室外に延在しているが、これが外壁１５０と面一であっても良い。
【００６８】
また、従来において開口部装置をセットバックした際に必要であった付け柱を要しない。これは、見切り縦材１１３に片１１３ｃを設けることにより該片１１３ｃを柱１５１の室外側面に配置することができるようになったからである。これにより、開口部を有効に利用することができ、採光面積を大きくとることができるセットバック開口部装置１１０を提供することが可能となる。
【００６９】
障子縦材１２２は、片１２２ｂの室内側面が窓壁１５３の室外側面に接して配置される。そして見切り縦材１１３と障子縦材１２２とは、片１１３ｄと片１２２ｂとを固定部材１６２で固定することにより連結される。また、片１２２ａ、１２２ｃと、障子１３０の縦框１３３とは、片１２２ａ、１２２ｃの先端に具備された緩衝部材を介して接している。
【００７０】
止水部材１８０は、そのコの字型断面の内側に片１１３ｂを含み、該片１１３ｂと止水部材１８０の室外側に配置される片１８０ａとが接して配置される。また、止水部材１８０の室内外方向に平行である片１８０ｂと障子縦材１２２の片１２２ａとがその面同士で接する。障子縦材１２２と止水部材１８０とは不図示の固定部材で固定されている。この止水部材１８０により、広い接触面を有する止水が可能となるので確実に止水をすることができる。
【００７１】
次に図１０を参照しつつセットバック開口部装置１１０に備えられる見切り横材１１４の周辺について詳しく説明する。図１０は第二実施形態に係るセットバック開口部装置１１０に関して図６に対応する図である。従って、図１０では紙面左が室外側、紙面右が室内側を表している。図１０からわかるようにセットバック開口部装置１１０の見切り横材１１４はその断面において、室内外方向に長い矩形環状で開口部の厚みを形成する端面に沿って室内外方向に配置される片１１４ａを有している。片１１４ａの室外側端部は外壁１５０よりも室外側に突出して配置されるとともに、該片１１４ａの室内側端部は横材１５４の室外側面まで延在する。また、見切り横材１１４はその断面において、片１１４ａから延在する片１１４ｂ、１１４ｃ、１１４ｄ、１１４ｅを備えている。片１１４ｂは片１１４ａの室内側端部で開口部内側面に備えられる環状矩形の片である。片１１４ｃは、片１１４ａの室内側端部から開口部外方向（紙面上方向）に延在する片である。片１１４ｄは、片１１４ｂから室内方向に延在する片で、片１１４ｅは片１１４ｄの室内側端部から開口部外方向に延在する片である。
【００７２】
障子横材１２３はその断面において、片１１４ｂの開口部内側に配置される略矩形環状である片１２３ａを有している。片１２３ａは、該片１２３ａの室外側面から室外側に向けて延在するとともにその室外側先端が開口部内方向（紙面下方向）に折れ曲がるような部位を有する片１２３ｂを備えている。片１２３ｂはその室外側端部に室外側に開いた溝を備えている。また、片１２３ａは、該片１２３ａの室内側端部から室内側に延在するコの字型断面を有する片１２３ｃを具備する。該コの字型断面は開口部外側に向けて開いている。片１２３ｄは片１２３ｃの開口部内側にさらに設けられた環状の片である。
【００７３】
以上のような見切り横材１１４、障子横材１２３に障子３０が取り付けられてセットバック開口部装置１１０とされている。そして該セットバック開口部装置１１０が建物１の開口部に配置される。具体的には次のように配置されて構成される。
【００７４】
見切り横材１１４は、上述したように片１１４ａが開口部の厚みを形成する端面に接して配置される。このとき片１１４ｃの室内側端面と横材１５４の室外側端面とが合わせられ、固定部材１６０で固定される。また、外壁１５０の端部がシール材１５０ａを介して片１１４ａに当接されて配置される。また、シール材１５０ａの室内側にはパッキン１５０ｂも配置される。このような見切り縦材１１３の配置により、外壁１５０が該見切り横材１１４に直線的に当接されるので、上述した縁壁を要しない。これにより縁壁を形成することが困難であった外壁材も使用することができ、汎用性の高いセットバック開口部装置１１０を提供することができる。また、縁壁を形成することができる外壁材であっても、縁壁を要しないことにより、容易に施工することができ、施工性を向上させることができる。さらには、片１１４ａと外壁１５０との間に設けられるシール材１５０ａ、パッキン１５０ｂによる止水方法は、これまでに使用されてきた信頼性の高い方法に基づくものなので止水性にも優れたセットバック開口部装置１１０を提供することができる。
【００７５】
ここで、片１１４ａの室外側端部は、本実施形態においては外壁１５０よりも室外に延在しているが、これが外壁１５０と面一であっても良い。
【００７６】
また、従来において開口部装置をセットバックした際に必要であった付け柱を要しない。これは、見切り横材１１４に片１１４ｃを設けることにより該片１１４ｃを横材１５４の室外側面に配置することができるようになったからである。これにより、開口部を有効に利用することができ、採光面積を大きくとることができるセットバック開口部装置１１０を提供することが可能である。
【００７７】
障子横材１２３は、片１２３ａの横材１５４側の面と、片１１４ｄとが接して配置され、該片１２３ａ及び片１１４ｄを貫く固定部材１６４により、該２つの片１２３ａ、１１４ｄが固定される。さらに片１２３ｄは窓壁１５３の室外側端面に接して配置される。片１２３ｂ、１２３ｄは、障子３０の横框３４と具備された緩衝部材を介して接している。
【００７８】
以上のような各部材の配置により上記利得を有するセットバック開口部装置１１０を提供することができる。さらに図１１を参照しつつ、セットバック開口部装置１１０に備えられる見切り横材１１５の周辺について詳しく説明する。図１１は図７に対応する図であるので、紙面左が室外側、紙面右が室内側である。
【００７９】
図１１からわかるように本発明のセットバック開口部装置１１０の見切り横材１１５はその断面において、全体として略Ｌ字型である環状の片１１５ａを有している。該Ｌ字型である片１１５ａは垂直である部分が室内側に配置され、その下部から水平である部分が室外方向に延在するようなＬ字型である。片１１５ａの室外側端部は外壁１５０よりも室外側に突出して配置されるとともに、該片１１５ａの室内側端部は横材１５４の室外側面まで延在する。片１１５ａの水平である部分の上面は室外側ほど低くなる傾斜が設けられている。これによって該傾斜に沿って水を排出することができる。また、見切り横材１１５はその断面において、さらに片１１５ｂ、１１５ｃ、１１５ｄ、１１５ｅを備えている。片１１５ｂは、片１１５ａの開口部内側の端部から開口部内方向（紙面上方向）に延在する片で、その先端が室外側に曲げられている。片１１５ｃは片１１５ａの室内側端部から開口部外方向（紙面下方向）に延在する片である。片１１５ｄは片１１５ａの室内側端部から室外側に延在する片、片１１５ｅは片１１５ｄの室内側端部から開口部外方向に延在する片である。
【００８０】
障子横材１２４はその断面において、片１１５ａの開口部内側に配置される略矩形環状の片１２４ａを有している。該片１２４ａは、片１２４ａの室外側面から室外方向に延在するとともにその室外側先端が開口部外方向に折れ曲がるような部位を有する片１２４ｂを備えている。また、障子横材１２４はその断面において、片１２４ａより室内側で、かつ、開口部内側に配置される矩形環状である片１２４ｃを有している。片１２４ｃの室内側端面が窓壁１５３の室外側端面と接している。また、片１２４ｃの室外側端面には、室外側に開いた溝を有している。片１２４ｃは片１２４ｂにより片１２４ａと連結されている。
【００８１】
以上のような見切り横材１１５、障子横材１２４に障子１３０が取り付けられてセットバック開口部装置１１０とされている。そして該セットバック開口部装置１１０が建物の開口部に配置される。具体的には次のように配置されて構成される。
【００８２】
見切り横材１１５は、上述したように片１１５ａが開口部の厚みを構成する端面に接して配置される。このとき片１１５ｃの室内側端面と横材１５４の室外側端面とが合わせられ、固定部材１６０で固定される。また、外壁１５０の端部がシール材１５０ａを介して片１１５ａに当接されて配置される。また、シール材１５０ａの室内側にはパッキン１５０ｂも配置される。このような見切り横材１１５の配置により、外壁１５０が該見切り横材１１５に直線的に当接されるので、上述した縁壁を要しない。これにより縁壁を形成することが困難であった外壁材も使用することができ、汎用性の高いセットバック開口部装置１１０を提供することができる。また、縁壁を形成することができる外壁材であっても、縁壁を要しないことにより、容易に施工することができ、施工性を向上させることができる。さらには、片１１５ａと外壁１５０との間に設けられるシール材１５０ａ、パッキン１５０ｂによる止水方法は、これまでに使用されてきた信頼性の高い方法に基づくものなので止水性にも優れたセットバック開口部装置１１０を提供することができる。
【００８３】
ここで、片１１５ａの室外側端部は、本実施形態においては外壁１５０よりも室外に延在しているが、これが外壁１５０と面一であっても良い。
【００８４】
また、従来において開口部装置をセットバックした際に必要であった付け柱を要しない。これは、見切り横材１１５に片１１５ｃを設けることにより該片１１５ｃを横材１５４の室外側面に配置することができるようになったからである。これにより、開口部を有効に利用することができ、採光面積を大きくとることができるセットバック開口部装置１１０を提供することが可能である。
【００８５】
障子横材１２４は、片１２４ｂの折り曲げられた端部から室内方向に設けられた小片と、片１１５ｂとの係合関係により、見切り縦材１１５と係合される。また、片１２４ａの横材１５４側の面と、片１１５ｄとが接して配置され、該片１２４ａ及び片１１５ｄを貫く固定部材１６４により、該２つの片１２４ａ、１１５ｄが固定される。片１２４ｃは窓壁１５３の室外側端面に接して配置される。片１２４ｃは、具備された溝に備えられた緩衝部材を介して障子１３０の横框１３５を支持している。
【００８６】
ここで、図９〜図１１に現れた横材１５５、１５６は、セットバック開口部装置１１０を開口部に固定するために用いられている付け柱ではなく、必ずしも必要なものではない。これは施工対象により適宜使用されるスペーサであり、その使用、不使用は必要に応じて選択されるものである。
【００８７】
以上のような構成のセットバック開口部装置１１０により、外壁材の種類を選ばない、汎用性を向上させることができ、これまでの外壁材であっても施工性を向上させることができる。さらに、直接柱、横材に取り付け可能であり、付け柱を必要としないので付け柱取り付けに伴う材料、工程を要せずこの点においても施工性を向上させることができる。また、付け柱の設置により開口部が狭小化することなく、採光面積を大きくとることも可能となる。
【００８８】
本実施形態に関しても、図８で説明したひさしを形成する見切り横材の片を設けることにより上記効果を得るセットバック開口部装置１１０を提供することができる。
【００８９】
以上、現時点において最も実践的であり、かつ、好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴うセットバック開口部装置も本発明の技術的範囲に包含されるものとして理解されなければならない。
【図面の簡単な説明】
【００９０】
【図１】第一実施形態にかかる本発明のセットバック開口部装置が備えられた建物の外観正面図である。
【図２】セットバック開口部装置が建物開口部に備えられたときの室外視斜視図である。
【図３】セットバック開口部装置が建物の開口部に取り付けられた場面における該セットバック開口部装置の横断面図で、取り付けの状態がわかるように建物の開口部の端部も合わせて断面で示した図である。
【図４】セットバック開口部装置が建物の開口部に取り付けられた場面における該セットバック開口部装置の縦断面図で、取り付けの状態がわかるように建物の開口部の端部も合わせて断面で示した図である。
【図５】図３における紙面左側に表された見切り縦材の周辺を拡大して示した図である。
【図６】図４におけるセットバック開口部装置の上部に配置される見切り横材の周辺を拡大して示した図である。
【図７】図４におけるセットバック開口部装置の下部に配置される見切り横材の周辺を拡大して示した図である。
【図８】第一実施形態にかかるセットバック開口部装置の変形例を示す図である
【図９】第二実施形態に係るセットバック開口部装置の一方の見切り縦材の周辺を断面で拡大して示した図である。
【図１０】第二実施形態に係るセットバック開口部装置の上部に配置される見切り横材の周辺を断面で拡大して示した図である。
【図１１】第二実施形態に係るセットバック開口部装置の下部に配置される見切り横材の周辺を断面で拡大して示した図である。
【図１２】従来におけるセットバック開口部装置の縦枠周辺を断面で拡大して示した図である。
【符号の説明】
【００９１】
１  建物
２  玄関
３  窓
４  窓
１０  開口部装置
１１  見切り枠
１２  見切り縦材
１３  見切り縦材
１４  見切り横材
１５  見切り横材
２０  障子枠
２１  障子縦材
２２  障子縦材
２３  障子横材
２４  障子横材
２５  連結部材
２６  連結部材
２７  連結部材
２８  連結部材
３０  障子
３１  ガラスパネル
３２  縦框
３３  縦框
３４  横框
３５  横框
３６  把手
４０  網戸ユニット
５０  外壁
５１  柱
５２  内壁
５３  窓壁
５４  横材
６０  固定部材
６１  固定部材
６２  固定部材
６３  固定部材
１８０  止水部材
２５８  付け柱
【図１】
0004755021.tif 000002
【図２】
0004755021.tif 000003
【図３】
0004755021.tif 000004
【図４】
0004755021.tif 000005
【図５】
0004755021.tif 000006
【図６】
0004755021.tif 000007
【図７】
0004755021.tif 000008
【図８】
0004755021.tif 000009
【図９】
0004755021.tif 000010
【図１０】
0004755021.tif 000011
【図１１】
0004755021.tif 000012
【図１２】
0004755021.tif 000013